【手続補正書】
【提出日】平成15年4月2日(2003.4.2)
【手続補正１】
【補正対象書類名】明細書
【補正対象項目名】特許請求の範囲
【補正方法】変更
【補正の内容】
【特許請求の範囲】
【請求項１】
少なくとも一の利用者に関連する少なくとも一の取引業者と、在庫確認エンジンと、
上記少なくとも一の取引業者と上記在庫確認エンジンとの間の通信を容易にするために接続されたネットワークと、
からなるサプライチェーン管理システムであって、
上記ネットワークにおいて、
上記少なくとも一の取引業者は、上記利用者と関連した利用者所在地に配送される少なくとも一の品目に一致する品目データを含んでなる注文を上記ネットワークを経由して在庫確認エンジンに送信することによってコンフィギュレーションされることと、
上記在庫確認エンジンは、
ａ）上記複数の倉庫から上記利用者の所在地まで複数の倉庫の中で最も近い倉庫を選定すると、
ｂ）上記複数の倉庫の中で上記利用者所在地に最も近い倉庫を一の第一倉庫と決定した場合に応じて、少なくとも暫定的に、上記少なくとも一の品目が上記利用者の所在地に出荷される上記第一倉庫が出荷倉庫として命令することと、
からコンフィギュレーションされることと、
を特徴とするサプライチェーン管理システム。
【請求項２】
上記第一倉庫が、上記利用者所在地から第一距離をもつことと、
上記複数の倉庫には、上記利用者所在地から第二距離をもつ第二倉庫を含むことと、
上記複数の倉庫の中から上記利用者の所在地まで最も近い倉庫を選定する上記ステップが、第一距離が第二距離より短いか否かを判断するステップを含むことと、
を特徴とする請求項１のサプライチェーン管理システム。
【請求項３】
上記複数の倉庫には、上記利用者所在地から第三距離を有する第三倉庫を含むことと、
上記在庫確認エンジンが、上記第一距離と上記第三距離との比較を行うことによってコンフィギュレーションされることと、
上記複数の倉庫の中から上記利用者所在地まで最も近い倉庫を選定するステップが、第一距離が第三距離より短いか否かを判断するステップを含むことと、
を特徴とする請求項２のサプライチェーン管理システム。
【請求項４】
上記在庫確認エンジンが、上記在庫確認エンジンから上記注文を受け取った場合に応じて、上記利用者所在地に上記複数の倉庫中の最も近い倉庫を決定する上記ステップを実行するためにコンフィギュレーションされること、を特徴とする請求項１のサプライチェーン管理システム。
【請求項５】
上記在庫確認エンジンが、
上記第一倉庫が少なくとも一の品目を上記利用者所在地に指定期間内に出荷可能な倉庫であるか否かを決めることと、
上記第一倉庫が上記少なくとも一の品目を上記利用者所在地に上記指定期間内に出荷可能な倉庫であることを決めた場合に応じて、少なくとも暫定的に上記第一倉庫を出荷倉庫とすることを命令する上記ステップを実行することと、
からコンフィギュレーションされること、
を特徴とする請求項１のサプライチェーン管理システム。
【請求項６】
上記期間は、上記少なくとも一の利用者から得た情報に基づいて決定されることを特徴とする請求項５のサプライチェーン管理システム。
【請求項７】
上記ネットワークが、上記在庫確認エンジン及び上記第一倉庫の間の通信を簡易にするために接続されていることを特徴とする請求項１のサプライチェーン管理システム。
【請求項８】
上記ネットワークが、上記在庫確認エンジン及び上記第二倉庫の間の通信を簡易にするために接続されていることを特徴とする請求項７のサプライチェーン管理システム。
【請求項９】
上記ネットワークが、広域ネットワークであることを特徴とする請求項１のサプライチェーン管理システム。
【請求項１０】
上記注文が、上記利用者所在地と一致する所在地データを含むことを特徴とする請求項１のサプライチェーン管理システム。
【請求項１１】
上記所在地データが、上記利用者所在地に関連する郵便番号であることを含むことを特徴とする請求項１０のサプライチェーン管理システム。
【請求項１２】
一の利用者に一の品目の出荷を容易にする方法であって、
上記利用者と関連する一の取引業者を提供するステップと、
一の在庫確認エンジンを提供するステップと、
上記取引業者及び上記在庫確認エンジンの間の通信を容易にするためにコンフィギュレーションされる一のネットワークを提供するステップと、
上記利用者に関連する利用者所在地に出荷される少なくとも一の品目と一致する品目データを含む注文を生成するために上記取引業者を用いるステップと、
上記取引業者から上記ネットワークを通じて上記在庫確認エンジンに上記注文伝送するステップと、
上記在庫確認エンジンが上記取引業者から上記注文を受け取った場合に応じて、上記複数の倉庫の中から、上記利用者所在地に指定された期間内に出荷することができる上記利用者所在地まで最も近い一の第一倉庫を選定するステップと、
からなる方法である。
【請求項１３】
さらに、少なくとも一の品目を上記利用者所在地に出荷するように上記第一倉庫に知らせるステップを含むことを特徴とする請求項１２の方法。
【請求項１４】
さらに、上記少なくとも一の品目を上記第一倉庫から出荷されることを上記利用者に知らせるステップを含むことを特徴とする請求項１３の方法。
【請求項１５】
上記ネットワークはインタネットであることを特徴とする請求項１２の方法。
【請求項１６】
少なくとも一の利用者に関連した少なくとも一の取引業者と、
一の在庫確認エンジンと、
上記取引業者と上記在庫確認エンジンとの間の通信を容易にするために接続された一のネットワークと、
からなるサプライチェーン管理システムであって、
上記ネットワークにおいて、
上記少なくとも一の取引業者は、上記利用者と関連した利用者所在地に出荷される少なくとも一の品目に一致する品目データを含んでなる注文を上記ネットワークを経由して上記在庫確認エンジンに送信するためにコンフィギュレーションされることと、
上記在庫確認エンジンが、
ａ）上記複数の倉庫の中で上記利用者所在地に最も近い一の第一倉庫を選定することと、
ｂ）上記複数の倉庫の中から第一倉庫に最も近い一の第二倉庫を選定することと、
ｃ）上記第一倉庫が上記少なくとも一の品目を上記利用者所在地に指定された期間内に出荷することができるか否かを決定することと、
ｄ）上記第一の倉庫が上記少なくとも一の品目を上記利用者の所在地に上記指定された期間に出荷できないと決定した場合に応じて、上記第二倉庫が上記少なくとも一の品目を上記利用者所在地に上記指定された期間に出荷することができるか否かを決定することと、
ｅ）上記第二倉庫が上記少なくとも一の品目を上記利用者所在地に上記指定された期間内に出荷することができることを決定した場合に応じて、上記利用者所在地に上記少なくとも一の品目を出荷できる倉庫の中から上記第二倉庫を出荷倉庫として指定することと、
からコンフィギュレーションされることと、
を特徴とするサプライチェーン管理システム。
【請求項１７】
上記在庫確認エンジンが、さらに、
ｆ）上記複数の倉庫の中から、上記第一倉庫に二番目近い一の第三倉庫を選定することと、
ｇ）上記第二倉庫が上記少なくとも一の品目を上記利用者所在地に上記指定された期間内に出荷できないと決定した場合に応じて、上記第三倉庫が上記少なくとも一の品目を上記利用者の所在地に上記の指定された期間内に出荷できるか否かを決定することと、
ｈ）上記第三倉庫が上記少なくとも一の品目を上記利用者所在地に上記指定された期間内に出荷できる場合に応じて、上記利用者所在地に上記少なくとも一の品目を出荷できる倉庫の中から上記第三倉庫を出荷倉庫として指定することと、
からコンフィギュレーションされること、
を特徴とする請求項１６のサプライチェーン管理システム。